(57)【特許請求の範囲】
【請求項１】
記録媒体に対向する対物レンズを微動させる補正駆動手段および／または前記対物レンズに光を導く光学部材が搭載された金属製のベースと、前記ベースを支持して前記記録媒体の記録面に沿って移動させられるキャリッジとを有し、
前記キャリッジの前記記録媒体との対向側を表側、逆側を裏側としたときに、
前記キャリッジには表側から裏側へ貫通する挿通部が形成され、前記ベースには半田付け部が設けられ、
前記ベースが前記キャリッジの表側に設置された状態で、前記ベースの半田付け部が前記キャリッジの挿通部に挿通され、前記キャリッジの裏側で前記半田付け部と前記キャリッジとが半田付けされて固定されていることを特徴とする光ピックアップ。
【請求項２】
前記キャリッジの前記表側に、前記対物レンズへ光を導く光学部材が固定されている請求項１記載の光ピックアップ。
【請求項３】
前記キャリッジは、底板とこの底板から前記記録媒体の方向へ延びる側板とを有する凹形状であり、前記挿通部は前記底板に形成されており、前記半田付け部と前記キャリッジとが、前記底板の裏面側で半田付けされている請求項１または２記載の光ピックアップ。
【請求項４】
前記挿通部と前記半田付け部との間には、前記ベースの取付位置を調整可能な隙間が設けられ、この隙間に半田が渡されて前記半田付け部と前記キャリッジとが固定されている請求項１ないし３のいずれかに記載の光ピックアップ。
【請求項５】
前記キャリッジの裏面には回路基板が固定され、前記回路基板に形成された導体パターンに前記ベースの半田付け部が半田付けされている請求項１ないし４のいずれかに記載の光ピックアップ。
【請求項６】
前記キャリッジの裏面では、少なくとも前記挿通部の縁部が半田付け可能な材料で形成されており、前記ベースの半田付け部が前記キャリッジに直接に半田付けされている請求項１ないし４のいずれかに記載の光ピックアップ。
【発明の詳細な説明】
【０００１】
【発明の属する技術分野】
本発明は、板金製のキャリッジと板金製のベースとで構成される光ピックアップに係り、特にベースとキャリッジとを半田付けにより固定する光ピックアップに関する。
【０００２】
【従来の技術】
光ピックアップは、コンピュータ、音楽、映像などのデータが記録された媒体の読み書きなどに使用されるディスク装置に搭載することができ、例えば、ＣＤ（Compact Disc）、ＤＶＤ（Digital Versatile Disc）、ＭＤ（Mini Disk）などに使用することができる。
【０００３】
従来の光ピックアップは、対物レンズと前記対物レンズを微動可能な補正駆動手段とが設けられたベースと、前記ベースが搭載されるキャリッジとを有し、前記ベースとキャリッジとは主要な部分はいずれも板金により加工されている。前記キャリッジは板金を折り曲げて形成され、またキャリッジには光ディスクが配置される側に前記ベースを取り付けるための取付片が前記キャリッジと一体に形成されており、対物レンズがラジアル方向とタンジェンシャル方向とに微調整された後に前記キャリッジの取付片に前記ベースが半田付けによって固定される。
【０００４】
また、キャリッジには光学部材が設けられており、前記光学部材としてはビームスプリッタ、コリメータレンズ、反射板などから構成されている。前記光学部材により発光部となる光素子から出力された光が対物レンズへと導かれ、さらに光ディスクに反射した戻り光が受光部となる光素子へと導かれる。
【０００５】
【発明が解決しようとする課題】
しかしながら、上記した従来の光ピックアップでは、以下に示す問題があった。
【０００６】
すなわち、板金製のキャリッジと板金製のベースとが半田付けされる際に、半田に含まれるフラックス、ヤニ、または半田自体の飛散物が、むき出しの光学部材に付着する可能性が高いという問題があった。
【０００７】
また、対物レンズはワイヤを介してベースに支持されており、このワイヤは熱や外力に対して弱いもので形成されているため半田付け時に発生する熱や接触による外力によって損傷するおそれがあった。
【０００８】
本発明は、上記課題を解決するためになされたものであり、板金製のキャリッジと板金製のベースとを、ベース取り付け側に設けられた光学部材に損傷を与えることなく、さらに対物レンズを支持しているワイヤを損傷することなく容易に半田付けすることができる光ピックアップを提供することを目的とする。
【０００９】
【課題を解決するための手段】
本発明の光ピックアップは、記録媒体に対向する対物レンズを微動させる補正駆動手段および／または前記対物レンズに光を導く光学部材が搭載された金属製のベースと、前記ベースを支持して前記記録媒体の記録面に沿って移動させられるキャリッジとを有し、
前記キャリッジの前記記録媒体との対向側を表側、逆側を裏側としたときに、
前記キャリッジには表側から裏側へ貫通する挿通部が形成され、前記ベースには半田付け部が設けられ、
前記ベースが前記キャリッジの表側に設置された状態で、前記ベースの半田付け部が前記キャリッジの挿通部に挿通され、前記キャリッジの裏側で前記半田付け部と前記キャリッジとが半田付けされて固定されていることを特徴とするものである。
【００１０】
本発明での前記ベースは、フォーカス補正やトラッキング補正のための補正駆動手段および対物レンズを搭載したもの、前記補正駆動手段の他にプリズムなどの光学部材を搭載したもの、あるいは補正駆動手段を搭載せずに、レンズやプリズムや偏光素子などの光学部材のみを搭載したもののいずれであってもよい。
【００１１】
上記手段により、ベースとキャリッジとが、キャリッジのベースが設けられる反対側で半田付けされるため、半田付け作業時の半田に含まれるフラックスやヤニによる飛散または半田自体の飛散などによる光学部材（対物レンズを含む）の損傷、さらに対物レンズを可動状態で支持しているワイヤの損傷を防止することができる。
【００１２】
また、前記キャリッジの前記表側に、前記対物レンズへ光を導く光学部材が固定されているものの場合には、半田やフラックスがキャリッジ上の光学部材に付着するのを防止できる。
【００１３】
例えば、前記キャリッジは、底板とこの底板から前記記録媒体の方向へ延びる側板とを有する凹形状であり、前記挿通部は前記底板に形成されており、前記半田付け部と前記キャリッジとが、前記底板の裏面側で半田付けされているものである。
【００１４】
ただし、キャリッジに記録媒体の記録面とほぼ平行な板部または設置面が形成されているものであれば、必ずしも凹形状である必要はなく、前記板部または設置面に挿通部が形成されていればよい。
【００１５】
また、前記挿通部と前記半田付け部との間には、前記ベースの取付位置を調整可能な隙間が設けられ、この隙間に半田が渡されて前記半田付け部と前記キャリッジとが固定されているものであってもよい。
【００１６】
この構成では、前記隙間の範囲内で前記ベースの取付位置を調整してから半田付け固定される。
【００１７】
また、前記キャリッジの裏面には回路基板が固定され、前記回路基板に形成された導体パターンに前記ベースの半田付け部が半田付けされているものが好ましい。この場合の基板は、プラスチック基板やガラスエポキシ基板などの硬質基板に導体パターンが設けられたものであってもよいし、あるいはフィルムに導体パターンが設けられたフレキシブルプリント基板であってもよい。
【００１８】
あるいは、前記キャリッジの裏面では、少なくとも前記挿通部の縁部が半田付け可能な材料で形成されており、前記ベースの半田付け部が前記キャリッジに直接に半田付けされているものであってもよい。
【００１９】
また本発明での、前記ベースと前記キャリッジは共に板金製であることが好ましい。これにより、従来から使用されているアルミダイキャスト製などのコスト的に高価なキャリッジを使用する必要がなくなり、コストダウンを図ることができる。ただし、ベースとキャリッジがダイキャスト成形されているものであってもよい。
【００２０】
上記のようにして形成することにより、光学部材などの構造上の制約で従来より制限された前記ベースの固定位置の設定の自由度を増すことができる。また、半田付け固定される側が光ディスクが載置される側と反対側で行なわれるため、ベースとキャリッジとの微調整と、ベースとキャリッジとの半田接合と、動作チェックとを、検査用光ディスクを脱着させることなく行なうことが可能になり、作業性を向上させることができる。
【００２１】
【発明の実施の形態】
以下、本発明の光ピックアップの一例について図１乃至図７を参照して説明する。図１は本発明の光ピックアップを上側から見たときの斜視図、図２は本発明の光ピックアップを底側から見たときの斜視図、図３は図１の３−３線で切断したときの断面図、図４は図３の一部拡大断面図、図５はキャリッジを示す斜視図、図６はベースを上側から見たときの斜視図、図７はベースを下側から見たときの斜視図である。なお、以下に示す光ピックアップは、キャリッジに回路基板が設けられている実施形態を例示している。
【００２２】
本発明の光ピックアップ１０は、図１と図２に示すように、キャリッジ１と、ベースとしてのＡＣＴベース（アクチュエータベース）２０とを有し、前記キャリッジ１の裏側に回路基板３０が設けられている。さらに、本発明の光ピックアップ１０は、ＣＤとＤＶＤとの兼用のディスク装置に搭載されるものであり、光ピックアップ１０にはＣＤ用の光検出素子（光素子）４０とＤＶＤ用の光検出素子（光素子）５０とがそれぞれ設けられている。
【００２３】
前記ＡＣＴベース２０は、図６及び図７に示すように、対物レンズ２１と固定部２４と補正駆動手段２３とを有している。
【００２４】
対物レンズ２１には、レンズホルダ２２と（選択波長）開口制限板５３とが設けられ、前記対物レンズ２１がレンズホルダ２２に保持され、レンズホルダ２２の下側に前記（選択波長）開口制限板５３が設けられている。
【００２５】
固定部２４は、支持部材２４ａと、前記支持部材２４ａと一体に形成される取付部材２６とで構成されている。
【００２６】
補正駆動手段２３は、前記対物レンズ２１をトラッキング補正方向とフォーカシング補正方向とに微駆動させるものであり、レンズホルダ２２と支持部材２４ａとの間に設けられている。
【００２７】
また補正駆動手段２３は、図６に示すように、トラッキングコイル２７ａ，２７ａとフォーカシングコイル２７ｂとマグネット２８とヨーク２９とで構成されている。前記フォーカシングコイル２７ｂに与えられる補正電流により、対物レンズ２１がフォーカシング方向へ微駆動され、また前記トラッキングコイル２７ａ，２７ａに与えられる補正電流により、対物レンズ２１がトラッキング方向へ微駆動される。
【００２８】
なお、前記補正駆動手段２３には、前記トラッキングコイル２７ａ，２７ａとフォーカシングコイル２７ｂとをそれぞれ通電するための端子部材６６が一体に設けられている。端子部材６６は、下方へ突出して形成されており、その先端には複数の端子６６ａが設けられ、さらに図示していないが、端子部材６６の上端にも接続用の端子が設けられている。
【００２９】
前記支持部材２４ａは、板金を用いて加工されたものであり、支持部材２４ａの両側にはそれぞれ２本づつ計４本の弾性体によるワイヤ２５が設けられている。ワイヤ２５の基端部は支持部材２４ａ側に設けられ、ワイヤ２５の先端部はレンズホルダ２２に設けられ、レンズホルダ２２が片持ち状態で支持され、これにより対物レンズ２１が可動状態に支持されている。
【００３０】
また支持部材２４ａの下面には、図７に示すように、円柱状の突起２４ｆ，２４ｇ，２４ｈ，２４ｉが下方へ突出形成されている。前記突起２４ｆ，２４ｇは、レンズホルダ２２と支持部材２４ａとの間から突出して形成され、前記突起２４ｈ，２４ｉは、支持部材２４ａの下面から突出して形成されている。さらに支持部材２４ａには、図６に示すように、前記端子部材６６の後方に円筒状のピン挿入孔２４ｄと、前記ピン挿入孔２４ｄのさらに後方に治具挿入穴２４ｂ，２４ｃとがそれぞれ形成されている。
【００３１】
前記取付部材２６は、板金を折り曲げ等により加工されたものである。この取付部材２６は、図３、図６及び図７に示すように、水平部２６ｄと、前記水平部２６ｄから垂直下方へ折り曲げ形成された折曲部２６ａ，２６ｂ，２６ｃと、前記水平部２６ｄから垂直上方へ折り曲げ形成された折曲部２６ｅとで構成されている。前記折曲部２６ａ，２６ｂ，２６ｃは板状に形成されており、折曲部２６ａ，２６ｂが支持部材２４ａ側に、折曲部２６ｃがレンズホルダ２２側に、三角形状を成して形成されている。また折曲部２６ａ，２６ｂ，２６ｃの一面側が三角形の中心を向くように傾けられている。また折曲部２６ｅは、支持部材２４ａの後端側面に当接するように折り曲げ形成されている。
【００３２】
折曲部２６ａ，２６ｂ，２６ｃの先部には、取付け脚となる半田付け部２６ａ１，２６ｂ１，２６ｃ１が形成されている。さらに半田付け部２６ａ１，２６ｂ１，２６ｃ１の先端には、それぞれ半田溜り部（凹み）２６ａ２，２６ｂ２，２６ｃ２が形成されている。この半田溜り部２６ａ２，２６ｂ２，２６ｃ２は、内側面に三角錐状の切欠部が形成されているものである。
【００３３】
なお、前記半田付け部２６ａ１，２６ｂ１，２６ｃ１は、半田付け性を良好にするために半田メッキなどで表面処理が施されていてもよい。また前記半田溜り部２６ａ２，２６ｂ２，２６ｃ２は、図６に示す形状に限られるものではなく、その他の形状でもよく、あるいは凹みではなく突部でもよい。
【００３４】
また取付部材２６の水平部２６ｄには、図７に示すように、上記突起２４ｆ，２４ｇ，２４ｈ，２４ｉが突出可能な位置決め穴２６ｆ，２６ｇ，２６ｈ，２６ｉが形成されている。位置決め穴２６ｆ，２６ｉは、前記突起２４ｆ，２４ｉとほぼ同一の径により形成され、また位置決め穴２６ｇ，２６ｈは、前記突起２４ｇ，２４ｈが挿入されたときに突起２４ｇ，２４ｈの周囲に若干隙間が形成される程度の大きさにより形成されている。さらに水平部２６ｄには、円形のピン固定穴２６ｊと、幅広の開口部を有するコネクタ挿通孔２６ｋとがそれぞれ形成されている。
【００３５】
前記取付部材２６は、水平部２６ｄの上面に支持部材２４ａが載置される。このとき、前記突起２４ｆ，２４ｇ，２４ｈ，２４ｉは前記位置決め穴２６ｆ，２６ｇ，２６ｈ，２６ｉにそれぞれ挿入されて位置決め固定される。さらにピン挿入孔２４ｄには、支持部材２４ａの上方からピン３３が挿入されて支持部材２４ａを貫通し、さらに前記ピン固定穴２６ｊに挿入されて、前記水平部２６ｄの下面側から突出した状態で固定される。
【００３６】
また、前記端子部材６６は、その下端がコネクタ挿通孔２６ｋから下方へ突出される。
【００３７】
前記キャリッジ１は、前記ＡＣＴベース２０と同様に板金製であり、図１及び図５に示すように底板２に対して側板２ａ，２ｂ，２ｃが垂直上方へそれぞれ折り曲げ形成されている。前記側板２ａ，２ｂの一端には、円形のガイド軸挿通孔３ａ，３ｂが形成され、他端には略半円状に切り欠かれたガイド部４ａ，４ｂが形成されている。前記ガイド軸挿通孔３ａ，３ｂには図示しないシャフトが挿通され、前記ガイド部４ａ，４ｂにはキャリッジ１をディスクの半径方向Ｒへと駆動させる図示しない駆動軸に連結されて支持されている。
【００３８】
前記側板２ａ，２ｂの上縁には、図５に示すように、嵌合凹部２ａ１，２ｂ１がそれぞれ形成されている。前記嵌合凹部２ａ１，２ｂ１には、前記側板２ｃの上縁両端部にそれぞれ外側方へ突出して形成された突出片２ｄ，２ｄが嵌合させられる。
【００３９】
前記底板２には、図５に示すように、上記半田付け部２６ａ１，２６ｂ１，２６ｃ１が突出可能または露出可能なキャリッジ１の表側から裏側へ貫通する貫通孔（挿通部）６ａ，６ｂ，６ｃがそれぞれ形成されている。これら貫通孔６ａ，６ｂ，６ｃは、前記半田付け部２６ａ１，２６ｂ１，２６ｃ１よりも大きな開口部により形成され、微調整用の隙間が形成されている。また底板２の縁部には、半田付け可能な円形の突起５ａ，５ｂ，５ｃが底板２の裏面から突出して形成されている。これら突起５ａ，５ｂ，５ｃは、プレス成形により形成されてもよく、あるいは別体により形成されてもよい。
【００４０】
また底板２には、前記突起５ａと前記突起５ｂとの間に円形の開口部３５が貫通して形成されている。さらに前記開口部３５と前記突起５ｃとの間には、半径方向Ｒに幅広のコネクタ開口部３６が貫通して形成されている。
【００４１】
また底板２には、１対の取付片７ａ，７ｂと、１対の取付片８ａ，８ｂと、１対の取付片９ａ，９ｂとがキャリッジ１の長手方向に沿って形成されている。前記取付片７ａ，７ｂ、８ａ，８ｂ、９ａ，９ｂは、いずれも底板２に対して垂直上方へ折り曲げられて形成されている。
【００４２】
さらに底板２には、前記回路基板３０がキャリッジ１にねじ止めされるためのねじ穴１２ａ，１２ｂが形成され、同様に側板２ｂにはねじ穴３４が形成されている。さらに底板２には、前記ねじ穴１２ａ，１２ｂの両側に開口部１３ａ，１３ｂが形成されている。
【００４３】
また側板２ａ，２ｂの上縁部には、図５に示すように、略Ｌ字型のガイド溝３３ａ，３３ｂが形成されている。また側板２ｃの中央部には、半径方向Ｒに長尺な素子取付穴２ｃ１が形成されている。
【００４４】
前記回路基板３０は、図１乃至図４に示すように、ＦＰＣ（フレキシブルプリント基板）３１と樹脂補強板としてのガラエポ基板（ガラスエポキシ樹脂基板）３２とで構成され、キャリッジ１の底板２と側板２ｂと側板２ｃとの３面に設けられるものである。ＦＰＣ３１は、フィルムに片面または両面に導体パターンが形成されたものであり、可撓性を有している。このＦＰＣ３１の内面側には、ガラエポ基板３２が接着剤等により貼り付けられて一体に形成されている。前記ガラエポ基板３２は、図１及び図２に示すように、底板２、側板２ｂ、および側板２ｃにガラエポ基板３２ｃがそれぞれ独立して設けられている。
【００４５】
上記により、底板２と側板２ｂとの折曲部分と、底板２と側板２ｃとの折曲部分とは、それぞれＦＰＣ３１のみで構成されることにより折り曲げ自在となり、キャリッジ１の外面側に確実に固定される。
【００４６】
また回路基板３０には、図２に示すように、前記貫通孔６ａ，６ｂ，６ｃと同様の位置にほぼ同様の形状からなる取付穴３７ａ，３７ｂ，３７ｃがそれぞれ形成され、さらに前記突起５ａ，５ｂ，５ｃの形成位置に同様の形状からなる突出孔３９ａ，３９ｂ，３９ｃがそれぞれ形成され、さらに前記端子部材６６の形成位置と同位置にほぼ同様の形状からなる突出穴６１が形成され、さらに前記開口部３５と同位置に同形状の開口部６５が形成されている。さらに回路基板３０には、前記開口部１３ａ，１３ｂと同様の形成位置に取付穴６２ａ，６２ｂがそれぞれ形成され、さらに前記素子取付穴２ｃ１と同様の位置に素子接続穴６７が形成されている。
【００４７】
前記ＣＤ用の光検出素子４０は、ＣＤ用回路基板４１と素子４２とＣＤ用取付部材４３とで構成されている。
【００４８】
ＣＤ用回路基板４１は、上述した回路基板３０と同様に、ＦＰＣ（フレキシブルプリント基板）４１ａと前記ＦＰＣ４１ａを補強するためのガラエポ基板からなる樹脂補強板４１ｂとが積層されて形成されている。またＣＤ用回路基板４１の下面側には、ＣＤ用取付部材４３が設けられている。
【００４９】
ＣＤ用取付部材４３は、前記ＣＤ用回路基板４１が載置される平板４４と、前記平板４４から外側方（Ｒ方向）に延びる板状の腕部４４ａ，４４ｂと、前記平板４４のＲ方向（半径方向）の両端から垂直下方へと折り曲げ形成された折曲片４５ａ，４５ｂとで構成されている。前記折曲片４５ａ，４５ｂの先部には、図２に示すように、上記した半田付け部２６ａ１，２６ｂ１，２６ｃ１と同様に半田付け部４５ａ１，４５ｂ１が形成され、その先端部には上記の半田溜り部２６ａ２，２６ｂ２，２６ｃ２と同様に半田溜り部４５ａ２，４５ｂ２が形成されている。
【００５０】
またＣＤ用回路基板４１の上面には、前記平板４４と連通する角型の穴４２ａが形成されており、この穴４２ａには素子４２が設けられている。素子４２は、例えば波長７８０ｎｍのレーザー光を発射可能な発光素子と、ディスクに反射した戻り光を検出する受光素子とが一体に形成された複合素子により形成されている。
【００５１】
前記ＤＶＤ用の光検出素子５０は、素子５１と回路端子５２とで構成されている。素子５１は、例えば波長６５０ｎｍのレーザー光を発射可能な発光素子と、ディスクで反射した戻り光を検出する受光素子とが一体に形成された複合素子により形成されている。回路端子５２は、前記素子５１と一体に形成されている。
【００５２】
次に本発明の光ピックアップ１０の組立方法について説明する。
図５に示すように、前記取付片７ａと７ｂとの間に形成された間隙にはビームスプリッタ１１ａが、前記取付片８ａと８ｂとの間に形成された間隙にはコリメータレンズ１１ｂが、前記取付片９ａと９ｂとの間に形成された間隙には反射板１１ｃが、それぞれ接着剤等を用いて接着固定されている。この場合、前記ビームスプリッタ１１ａ、コリメータレンズ１１ｂ及び反射板１１ｃからなる光学部材は、所定の治具を用いて空中において仮位置決めされた後に接着剤などにより固定される。
【００５３】
さらにキャリッジ１には、図１乃至図４に示すように、キャリッジ１の外周面に回路基板３０が設けられる。この回路基板３０は、キャリッジ１の側板２ａを除く底板２と側板２ｂと側板２ｃとの３面にそれぞれ図１に一部例示されているように矢印方向へ折り曲げられて取り付けられる。
【００５４】
前記回路基板３０は、図２に示すように、ねじ４８ａ，４８ｂにより前記回路基板３０に形成された図示しないねじ穴に挿通され、底板２に形成されたねじ穴１２ａ，１２ｂにねじ止めされる。また回路基板３０は、ねじ６０により回路基板３０に形成されたねじ穴６２に挿通され、側板２ｂにねじ止めされる。
【００５５】
前記回路基板３０は、キャリッジ１に固定されることにより、キャリッジ１の突起５ａ，５ｂ，５ｃは、図２及び図３に示すように、回路基板３０の突出孔３９ａ，３９ｂ，３９ｃから若干突出させられる。またキャリッジ１の開口部３５は回路基板３０の開口部６５と一致させられ、またキャリッジ１のコネクタ開口部３６は回路基板３０の突出穴６１と一致させられてキャリッジ１から回路基板３０まで貫通した状態となる。
【００５６】
さらに、キャリッジ１にはＤＶＤ用の光検出素子５０が設けられている。光検出素子５０は、側板２ｃの素子取付穴２ｃ１に挿入される。そして光検出素子５０の発光点（受光点）が固定された後に光検出素子５０の一端に形成された回路端子５２とＦＰＣ３１の導体パターンとが半田または導電性接着剤などにより接続されて固定される。
【００５７】
さらにキャリッジ１には、ＡＣＴベース２０が所定の位置に設けられる。すなわち、ＡＣＴベース２０は、前記折曲部２６ａ，２６ｂ，２６ｃが前記貫通孔６ａ，６ｂ，６ｃ及び取付穴３７ａ，３７ｂ，３７ｃに配置されるものであり、前記半田付け部２６ａ１，２６ｂ１，２６ｃ１が前記取付穴３７ａ，３７ｂ，３７ｃから若干突出した状態に配置される。
【００５８】
また、端子部材６６はキャリッジ１のコネクタ開口部３６と回路基板３０の突出穴６１とにそれぞれ挿通され、端子６６ａが前記突出穴６１から若干突出した状態に配置される。
【００５９】
そして、前記対物レンズ２１のタンジェンシャル方向とラジアル方向との双方の微調整がなされ、前記調整後に半田付け部２６ａ１，２６ｂ１，２６ｃ１と取付穴３７ａ，３７ｂ，３７ｃとの間に形成されている隙間に半田が渡されて、ＡＣＴベース２０の半田付け部２６ａ１，２６ｂ１，２６ｃ１と回路基板３０の導体パターンとが、図２のＡ，Ｂ，Ｃで示すように半田付けされる。またこの場合前記半田付け部２６ａ１，２６ｂ１，２６ｃ１は、図２の一点鎖線で示すように、回路基板３０と、前記突起５ａ，５ｂ，５ｃとで半田付けされていてもよい。
【００６０】
また半田付け時には、前記半田溜り部２６ａ２，２６ｂ２，２６ｃ２に半田が入り込むことにより、半田が接触する面積が大きくなり、半田付け強度を向上させることができる。
【００６１】
また、前記ＡＣＴベース２０のタンジェンシャル方向とラジアル方向との微調整は、所定の治具を用いて行なわれるが、この調整手段として支持部材２４ａの上側に形成された治具挿入穴２４ｂ，２４ｃに所定形状のピン（図示せず）がそれぞれ挿入され、支持部材２４ａの下側の開口部３５，６５に対して図示しないピンが挿入され、ピンの先端が前記水平部２６ｄの下面に当接するまで挿入される。このようにして、前記上側のピンと下側のピンとで前記ＡＣＴベース２０が挟持され、この状態で対物レンズ２１のタンジェンシャル方向とラジアル方向とがそれぞれ微調整される。
【００６２】
また、端子部材６６の端子６６ａは、前記ＦＰＣ３１と一体に形成された導体パターンを有するＦＰＣ３１ｄと半田付けなどにより接続される。
【００６３】
さらに、キャリッジ１にはＣＤ用の光検出素子４０が設けられる。前記光検出素子４０は、腕部４４ａ，４４ｂが前記ガイド溝３３ａ，３３ｂに挿入され、且つ半田付け部４５ａ１，４５ｂ１が取付穴６２ａ，６２ｂから若干突出する状態となるようにして配置される。そして素子４２の発光点（受光点）が微調整され、前記調整後に半田付け部４５ａ１，４５ｂ１と回路基板３０の図示しない導電パターンとが半田付けされる。この場合も、上記と同様に、半田付け部４５ａ１，４５ｂ１と取付穴６２ａ，６２ｂとの間に隙間が形成されており、素子４２の位置が微調整された後に前記隙間に半田が設けられて、半田付け部４５ａ１，４５ｂ１と回路基板３０の導体パターンとが半田付けされる。なお、半田付け部４５ａ１，４５ｂ１は、ねじ４８ａ，４８ｂと回路基板３０とともに半田付けされてもよい。
【００６４】
なお、本発明は上記実施の形態に限られるものではなく、例えば、上記のようにＡＣＴベース側に形成された半田付け部を前記回路基板に半田付けするのではなく、前記半田付け部を直接キャリッジの裏面に半田付けしてもよい。
【００６５】
また、回路基板はガラスエポキシ基板のような樹脂板に直接に導体パターンが形成されたものでもよい。
【００６６】
【発明の効果】
以上説明した本発明は、光学部材が配設される側とは反対側のキャリッジの裏側で半田付けされるため、半田付けされる際に半田に含まれるフラックスやヤニの飛散物または半田自体の飛散物が対物レンズやその他の光学部材へ付着することが防止される。さらに、対物レンズを可動状態に支持しているワイヤが半田付け時の熱や接触による外力などによって損傷することが防止される。
【００６７】
また、光学部材など構造上の制約で従来より制限されていたベースの固定位置の設定の自由度を増すことができる。
【００６８】
また、ベースとキャリッジとの微調整と、ベースとキャリッジとの半田付けによる固定と、動作チェックと、を検査用光ディスクを脱着することなく行なうことができ、作業性を向上させることができる。
【図面の簡単な説明】
【図１】本発明の光ピックアップを上側から見たときの斜視図、
【図２】本発明の光ピックアップを底側から見たときの斜視図、
【図３】図１の３−３線で切断したときの断面図、
【図４】図３の一部拡大断面図、
【図５】キャリッジを示す斜視図、
【図６】ＡＣＴベースを上側から見たときの斜視図、
【図７】ＡＣＴベースを下側から見たときの斜視図、
【符号の説明】
１  キャリッジ
２  底板
２ａ，２ｂ，２ｃ  側板
５ａ，５ｂ，５ｃ  突起
６ａ，６ｂ，６ｃ  貫通孔
１０  光ピックアップ
１２ａ，１２ｂ，３４  ねじ穴
１３ａ，１３ｂ  開口部
２０  ＡＣＴベース
２１  対物レンズ
２２  レンズホルダ
２３  補正駆動手段
２４  固定部
２４ａ  支持部材
２５  ワイヤ
２６ａ，２６ｂ，２６ｃ  折曲部
２６ａ１，２６ｂ１，２６ｃ１  半田付け部
２６ａ２，２６ｂ２，２６ｃ２  半田溜り部
３０  回路基板
３１  ＦＰＣ（フレキシブルプリント基板）
３２  樹脂補強板
３７ａ，３７ｂ，３７ｃ  取付穴
３９ａ，３９ｂ，３９ｃ  突出孔
４０  ＣＤ用の光検出素子
４８ａ，４８ｂ，６０  ねじ
５０  ＤＶＤ用の光検出素子
【図１】
0003741920.tif 000002
【図２】
0003741920.tif 000003
【図３】
0003741920.tif 000004
【図４】
0003741920.tif 000005
【図５】
0003741920.tif 000006
【図６】
0003741920.tif 000007
【図７】
0003741920.tif 000008